(57)【要約】  ディスククランプトユニットの更なる薄型化を可能にしたディスク装置。この装置は、ディスクの定置および回転を行うスピンドルモータ（３００）と、その回転軸に固定された調芯リング（３０１）と、ディスクをスピンドルモータ（３００）上に装着するクランプ部（４００）とを備える。調芯リング（３０１）は、スピンドルモータ（３００）の回転軸の周囲に形成された突起部（３０１Ｃ）と、これと空間を挟んで回転軸の周囲に設けられたマグネット（３０２）とを有する。クランプ部（４００）は、突起部（３０１Ｃ）が嵌合する凹部空間（４０１Ｇ）が形成されたセンタ部材（４０１）と、マグネット（３０２）に吸引される被吸引部材（４０２）とを有する。クランプ部（４００）は、突起部（３０１Ｃ）が凹部空間（４０１Ｇ）に嵌合し、マグネット（３０２）に吸引されることにより、ディスクをスピンドルモータ（３００）上に装着する。
2010070924.tif 000002
【特許請求の範囲】
【請求項１】
ディスクの定置および回転を行うスピンドルモータと、
前記スピンドルモータの回転軸に固定された調芯リングと、
前記ディスクを前記スピンドルモータ上に装着するクランプ部と、を備え、
前記調芯リングは、前記スピンドルモータの回転軸の周囲に形成された突起部と、前記突起部と空間を挟んで前記スピンドルモータの回転軸の周囲に設けられた磁気吸引手段と、を有し、
前記クランプ部は、前記突起部が嵌合する凹部空間が形成されたセンタ部材と、前記磁気吸引手段に吸引される被吸引部材と、を有し、前記突起部の前記凹部空間への嵌合と、前記磁気吸引手段から受ける吸引力とによって、前記ディスクを前記スピンドルモータ上に装着する、
ディスク装置。
【請求項２】
前記センタ部材は、凹溝形状部を有し、
前記被吸引部材は、前記凹溝部形状部に係合可能な係合突起部を有し、
前記クランプ部は、前記凹溝形状部と前記係合突起部との係合により、前記センタ部材と前記被吸引部材とが組み合わされた構成を有する、
請求項１記載のディスク装置。
【請求項３】
前記クランプ部を前記スピンドルモータに対して近接離反可能に保持するクランプガイド、を更に備え、
前記クランプ部は、前記スピンドルモータの回転に従って回転し、その回転中心において前記クランプガイドに接触する曲面凸部と、前記曲面凸部を囲んで設けられた凹溝と、を有する、
請求項１記載のディスク装置。
【発明の詳細な説明】
【技術分野】
【０００１】
本発明は、ディスクを載置して回転させるディスク装置に関するものである。
【背景技術】
【０００２】
従来のディスク装置として、ディスクを回転させるスピンドルモータの回転軸と、同軸的にしかも着脱自在に固定する、磁石の磁力を利用したディスククランプユニットが知られている（例えば特許文献１参照）。【０００３】
そして、従来のディスククランプユニットには、ディスクチャック部のクランパに対向する側に設けられた凹部内に、中空円板状の永久磁石とヨークとの積層体が固定されている。この永久磁石は、凹部内の段部により、位置決めされている。
【先行技術文献】
【特許文献】
【０００４】
【特許文献１】特開２００３−２２８９００号公報
【発明の概要】
【発明が解決しようとする課題】
【０００５】
しかしながら、従来のディスククランプユニットは、図１および図２に示すように、スピンドルモータ１の回転軸１Ａの延在方向に配置されるクランプ３のセンタリング部の存在により、薄型化が困難であった。また、ディスクテーブル２とクランプ３により圧着保持されるディスク７、８の厚みには、バラツキがある。そして、このバラツキにより、ディスクテーブル２とクランプ３の相対位置が接近もしくは離反し、クランプ３のセンタリング部においてディスクテーブル２とクランプ３の間に生じるクリアランス９が一定ではない。したがって、ディスクテーブル２に対するクランプ３のセンタリング位置の精度が低下し、ディスクの再生時または記録時に異音が発生したり再生性能が低下するという不都合があった。【０００６】
本発明の目的は、ディスククランプユニットの更なる薄型化を可能にしたディスク装置を提供することである。
【課題を解決するための手段】
【０００７】
本発明のディスク装置は、ディスクの定置および回転を行うスピンドルモータと、前記スピンドルモータの回転軸に固定された調芯リングと、前記ディスクを前記スピンドルモータ上に装着するクランプ部とを備え、前記調芯リングは、前記スピンドルモータの回転軸の周囲に形成した突起部と、前記突起部と空間を挟んで前記スピンドルモータの回転軸の周囲に設けられた磁気吸引手段とを有し、前記クランプ部は前記突起部が嵌合する凹部空間が形成されたセンタ部材と、前記磁気吸引手段に吸引される被吸引部材とを有し、前記突起部の前記凹部空間への嵌合と、前記磁気吸引手段から受ける吸引力とによって、前記ディスクを前記スピンドルモータ上に装着する。【０００８】
この構成により、本発明に係るディスク装置は、クランプ部が調芯リングに位置決めされ、かつ、磁気吸引手段によりクランプ部がディスク回転部に近接する方向に吸引されることにより、ディスクをクランプすることができる。【０００９】
また、本発明のディスク装置は、調芯リングにスピンドルモータの回転軸の周囲に位置するように設けられた突起部が、クランプ部の円環形状突起部が形成する凹部空間に嵌合するので、厚みを抑えたクランプ部のセンタリング構成が可能となる。【００１０】
また、本発明のディスク装置は、前記センタ部材は凹溝形状部を有し、前記被吸引部材は、前記凹溝部形状部に係合可能な係合突起部を有し、前記クランプ部は、前記凹溝形状部と前記係合突起部との係合により、前記センタ部材と前記被吸引部材とが組み合わされた構成を有している。【００１１】
この構成により、本発明のディスク装置は、凹溝形状に対し、被吸着部に形成した係合突起部を嵌合するという簡単な作業によって、クランプ部の組み込みを行うことができる。【００１２】
また、本発明のディスク装置は、前記クランプ部を前記スピンドルモータに対して近接離反可能に保持するクランプガイド更にを備え、前記クランプ部は、前記スピンドルモータの回転に従って回転し、その回転中心において前記クランプガイドに接触する曲面凸部と、前記曲面凸部を囲んで設けられた凹溝とを有する。【００１３】
この構成により、本発明のディスク装置は、曲面凸部表面に塗布したグリス等の潤滑材が、ディスク回転時に曲面凸部外周方向に流出した場合でも、凸部周囲に設けられた凹部内に潤滑材を留め、クランプされたディスクに対して潤滑材が付着することを防止することができる。
【発明の効果】
【００１４】
本発明のディスク装置は、スピンドルモータの回転軸および調芯リングに形成された突起部に対し、クランプ部のセンタ部材に形成された凹部空間が嵌合する。これにより、クランプ部のセンタリング構成を薄型化することができ、ディスククランプユニットの更なる薄型化を可能にしたディスク装置を提供することができる。
【図面の簡単な説明】
【００１５】
【図１】従来のディスククランプユニットの正面方向断面図
【図２】従来のディスククランプユニットの正面方向断面図
【図３】本発明の実施の形態における電子装置としてのカーオーディオ装置の全体斜視図
【図４】本実施の形態に係るディスク装置の要部の斜視図
【図５】本実施の形態に係るディスククランプユニットの要部の第１の矢視断面図
【図６】本実施の形態に係るディスククランプユニットの要部の第２の矢視断面図
【図７】本実施の形態に係るディスククランプユニットの要部の第１の拡大図
【図８】本実施の形態に係るディスククランプユニットの要部の第３の矢視断面図
【図９】本実施の形態に係るディスククランプユニットの要部の第２の拡大図
【図１０】本実施の形態におけるクランプ部の平面図および断面図
【図１１】本実施の形態におけるセンタ部材の平面図および右側面図
【図１２】本実施の形態における被吸引部材の平面図および断面図
【図１３】本実施の形態におけるクランプ部の組付け前の状態の分解斜視図
【図１４】本実施の形態におけるクランプ部の組付け後の状態の斜視図
【図１５】本実施の形態におけるセンタ部材に対する被吸引部材の組付け状態図
【図１６】本実施の形態におけるクランプ部のガイド構成の平面図および断面図
【図１７】本実施の形態におけるクランプユニットの平面図および左側面図
【図１８】本実施の形態におけるクランプユニットの平面図および左側面図
【発明を実施するための形態】
【００１６】
以下、本発明の一実施の形態について、図３〜図１８の図面を用いて説明する。
【００１７】
本実施の形態において、ディスク装置の実使用状態を基準として、ディスク挿入口がある面を正面、左右方向をＸ方向（右方向を正方向とする）、奥行き方向をＹ方向（奥行き方向を正方向とする）、厚み方向をＺ方向（上面方向を正方向とする）として、それぞれ定義する。
【００１８】
図３は、本実施の形態に係るディスク装置を内蔵する電子装置としてのカーオーディオ装置６００の全体斜視図である。
【００１９】
このカーオーディオ装置６００は、ディスク装置のほかに、ラジオ６０１、カセットテープ再生装置６０２等を内蔵している。また、カーオーディオ装置６００は、前面パネル６０３に、全機能に共有される表示部６０３Ａおよび電源／ボリュームつまみ６０３Ｂと、ディスク装置におけるディスク挿排口６０４Ａと、ラジオ用のチューニングつまみ６０１Ａと、カセットテープ挿排口６０２Ａ等とを有する。また、カーオーディオ装置６００は、内部に、ラジオ、カセットテープ再生装置、ディスク装置等を制御する制御部（図示せず）を有する。
【００２０】
図４は、本実施の形態に係るディスク装置の主要部であるディスククランプユニット７００の要部の全体斜視図である。
【００２１】
ディスククランプユニット７００は、ベースシャーシ１００に設置され、スピンドルモータ３００、調芯リング３０１、クランプ部４００、およびクランプガイド５００を備えている。
【００２２】
スピンドルモータ３００は、ディスク２００を載置し、載置したディスク２００を回転させる。調芯リング３０１は、スピンドルモータ３００の回転軸に固定され、ディスク２００をスピンドルモータ３００に載置する際に、ディスク２００のセンターホール２００Ａをガイドする。より具体的には、調芯リング３０１は、ディスク２００のセンターホール２００Ａの中心を通る仮想軸と、スピンドルモータ３００の回転軸とが同軸になるように、センターホール２００Ａをガイドする。クランプ部４００は、ディスク２００が回転する際に、ディスク２００を、スピンドルモータ３００との間で挟持する。クランプガイド５００は、クランプ部４００を、スピンドルモータ３００に対して接近および離反させて、クランプ部４００を保持する。なお、図４において、ディスク２００は、その下面に設置された部品が見えるように、内部を透過表示し、外形線のみで表記されている。また、図４において、クランプ部４００は、ディスク２００を挟持する前の状態で表記されている。
【００２３】
次に、図４と、図４に示すＳ方向から見たときのスピンドルモータ３００およびクランプ部４００の断面を示す図５〜図９を用いて、スピンドルモータ３００およびクランプ部４００の構成について説明する。
【００２４】
図５は、本実施の形態に係るディスククランプユニット７００の要部を図４のＳ方向からみたときの矢視断面図である。図５は、ディスク２００がスピンドルモータ３００上に載置された状態で、なおかつ、ディスク２００がスピンドルモータ３００およびクランプ部４００に挟持される前の状態における、ディスククランプユニット７００の断面図を示す。
【００２５】
図６は、本実施の形態に係るディスククランプユニット７００の要部を図４のＳ方向からみたときの矢視断面図であり、ディスク２００がスピンドルモータ３００およびクランプ部４００に挟持された状態を示す。なお前記ディスク２００は厚みの薄いディスク（厚みｔ１.１ｍｍ）である。
【００２６】
図７は、本実施の形態に係る図６に示すディスククランプユニット７００の要部の拡大図である。
【００２７】
図８は、本実施の形態に係るディスククランプユニット７００の要部を図４のＳ方向からみたときの矢視断面図であり、ディスク２００がスピンドルモータ３００およびクランプ部４００に挟持された状態を示す。なお、ディスク２００は、厚みの厚いディスク（例えば、厚みｔ＝１.５ｍｍ）である。
【００２８】
図９は、本実施の形態に係る図８に示すクランプユニット要部の拡大図である。
【００２９】
ここで、ディスク２００の位置規制に関して説明する。
【００３０】
スピンドルモータ３００上に載置されたディスク２００は、調芯リング３０１のディスクガイド面３０１Ａにより、Ｘ方向への移動およびＹ方向への移動を制限され、スピンドルモータ３００の回転軸と同芯となる位置に規制される。また、スピンドルモータ３００上に載置されたディスク２００は、スピンドルモータ３００とクランプ部４００とによって挟持されることで、スピンドルモータ３００に対するＺ方向への移動を規制される。すなわち、ディスク２００は、クランプ部４００によって、スピンドルモータ３００上に装着される。
【００３１】
調芯リング３０１は、マグネット３０２を収納可能な空間３０１Ｂを有している。そして、調芯リング３０１は、この空間３０１Ｂ内の、空間３０１Ｂを形成する面に固定された、円環状のマグネット３０２を有している。マグネット３０２は、クランプ部４００を磁気吸引する磁気吸引手段である。なお、マグネット３０２は、スピンドルモータ３００の回転軸の周囲に配置されていれば良く、例えば、調芯リング３０１がマグネット３０２よりも外側に配置されている形態であっても良い。
【００３２】
クランプ部４００は、センタ部材４０１と被吸引部材４０２とが組み合わされた構成を有している。被吸引部材４０２は、磁気吸引可能な物性（鉄など）を有し、マグネット３０２の磁気吸引力により、Ｚ方向の負方向に磁気吸引される。この結果、クランプ部４００は、ディスク２００を、スピンドルモータ３００との間で挟持する。センタ部材４０１は、被吸引部材４０２上に積層されている。また、センタ部材４０１には、円環形状突起部４０１Ａが形成されている。円環形状突起部４０１Ａは、被吸引部材４０２の中央部に形成された穴を貫通して、被吸引部材４０２の下面より突出している。
【００３３】
また、ここで、スピンドルモータ３００に対するクランプ部４００のセンタリングについて説明する。
【００３４】
クランプ部４００のセンタ部材４０１に形成された円環形状突起部４０１Ａには、凹部空間４０１Ｇが形成されている。この凹部空間４０１Ｇにより、円環形状突起部４０１Ａは、円環形状となっている。また、調芯リング３０１は、スピンドルモータ３００の回転軸３００Ａに固定されている。そして、調芯リング３０１には、回転軸３００Ａの周囲に、リング状の突起部３０１Ｃが形成されている。ディスククランプの際、調芯リング３０１の突起部３０１Ｃは、クランプ部４００のセンタ部材４０１の円環形状突起部４０１Ａに形成された凹部空間４０１Ｇに嵌合する。これにより、クランプ部４００は、スピンドルモータ３００に対するＸ方向の移動およびＹ方向の移動を制限されて、スピンドルモータ３００に対してセンタリングされる。
【００３５】
また、図６〜図９に示すように、センタ部材４０１の円環形状突起部４０１Ａに形成された凹部空間４０１Ｇは、調芯リング３０１のリング状突起部３０１Ｃが入れ子状に嵌合可能なように形成されている。このため、ディスク２００がスピンドルモータ３００とクランプ部４００とによって挟持された状態であっても、センタ部材４０１の円環形状突起部４０１Ａと調芯リング３０１の突起部３０１Ｃとは、入れ子状に嵌合保持される。また、この嵌合保持は、厚みの薄いディスク２００であるか厚みの厚いディスク２００であるかによらない。すなわち、ディスククランプユニット７００は、ディスク２００の厚みがばらついている場合でも、スピンドルモータ３００に対するクランプ部４００のセンタリング精度を高いレベルに維持できる。
【００３６】
また、図６〜図９に示すように、スピンドルモータ３００の回転軸３００Ａおよび調芯リング３０１の突起部３０１Ｃは、クランプ部４００の空間４０１Ｇ内に嵌合する。これにより、クランプ部４００およびクランプ部４００のセンタリング構成の薄型化が可能となり、ディスククランプユニット７００およびこれを内蔵する各種装置の薄型化が可能となる。
【００３７】
また、本構成では、被吸引部材４０２は、クランプ部４００において、センタ部材４０１の積層下側に配置される。これにより、マグネット３０２の磁気吸引力を受ける被吸引部材４０２の相対距離を、マグネット３０２と接触可能な位置まで近接配置可能となる。したがって、マグネット３０２による磁気吸引力を最大限に発揮することができ、マグネット３０２によるディスク２００のクランプ保持性能を向上させることができる。
【００３８】
次に、クランプ部４００の構成について、図１０〜図１５を用いて説明する。
【００３９】
図１０は、本実施の形態におけるクランプ部４００の平面図および断面図である。図１０Ａは、本実施の形態におけるクランプ部４００の平面図である。図１０Ｂは、本発実施の形態におけるクランプ部４００の断面図である。
【００４０】
図１１は、本実施の形態におけるクランプ部４００のセンタ部材４０１の平面図および右側面図である。図１１Ａは、本実施の形態におけるクランプ部４００のセンタ部材４０１の平面図である。図１１Ｂは、本実施の形態におけるクランプ部４００のセンタ部材４０１の右側面図である。
【００４１】
図１２は、本実施の形態におけるクランプ部４００の被吸引部材４０２の平面図および断面図である。図１２Ａは、本実施の形態におけるクランプ部４００の被吸引部材４０２の平面図である。図１２Ｂは、本実施の形態におけるクランプ部４００の被吸引部材４０２の断面図である。
【００４２】
センタ部材４０１の円環形状突起部４０１Ａに形成された凹部空間４０１Ｇは、調芯リング３０１の突起部３０１Ｃに対して嵌合する。このため、センタ部材４０１は、調芯リング３０１との相互の摺動性の確保や、センタ部材４０１および調芯リング３０１の傷付きの防止を考慮して、樹脂材料を採用するのが望ましい。一方で、センタ部材４０１は、金属材料で構成することも可能である。被吸引部材４０２は、マグネット３０２により磁気吸引可能な物性（鉄など）からなる。
【００４３】
図１１Ａおよび図１１Ｂに示すように、センタ部材４０１は、円盤形状部４０１Ｆと円環形状の円環形状突起部４０１Ａとが一体となった形状をしている。円環形状突起部４０１Ａの側面には、４個の同一形状の凹溝形状部４０１Ｂが形成されている。凹溝形状部４０１Ｂは、円盤形状部４０１Ｆの下面と、凹溝形状部４０１Ｂの円周方向溝端面とで形成される、空間Ｔを有する。円盤形状部４０１Ｆには、４つの同一形状の円形の穴４０１Ｄが、９０度ずつ位置をずらして形成されている。円盤形状部４０１Ｆの中央には、円環形状突起部４０１Ａが配置されている側の面とは逆の面の側に、ドーム形状の曲面凸部４０１Ｈが形成されている。そして、曲面凸部４０１Ｈの周囲には、円環状の凹溝４０１Ｉが形成されている。
【００４４】
図４〜図９記載のクランプガイド５００は、ディスク２００の回転時に、曲面凸部４０１Ｈに対して接触した状態となる。この曲面凸部４０１Ｈの接触部には、グリス等の潤滑剤が塗布される。したがって、曲面凸部４０１Ｈに塗布されたグリスは、ディスク２００の回転により、外周方向へ流出し得る。このような場合でも、グリスは凹溝４０１Ｉ内に溜まることとなり、周囲へのグリス飛散やディスクへのグリス付着を防止することができる。
【００４５】
図１２Ａおよび図１２Ｂに示すように、被吸引部材４０２は円盤形状を有する。被吸引部材４０２の外周側には、ひさし部４０２Ａが形成されている。被吸引部材４０２の内周側には、ディスク２００がクランプされる際にディスク２００と接触するディスク接触部４０２Ｅが形成されている。被吸引部材４０２の中央には、穴部を有する面が形成されている。この被吸引部材４０２の中央の面には、被吸引部材４０２の中心方向に向いた４個の同一形状の突起部４０２Ｂが形成されている。そして、中央穴部の外周方向側には、２個のドーム形状の係合突起部４０２Ｄが、中央穴部をはさむ様な形で形成されている。
【００４６】
ここで、クランプ部４００のセンタ部材４０１と被吸引部材４０２とを組付ける際の手順について説明する。
【００４７】
図１３は、本実施の形態におけるクランプ部４００の組付け前状態の分解斜視図である。図１４は、本実施の形態におけるクランプ部４００の組付け後状態の斜視図である。
【００４８】
図１５は、本実施の形態のクランプ部４００における、センタ部材４０１に対する被吸引部材４０２の組付け状態図である。図１５Ａ〜図１５Ｃは、順に、センタ部材４０１に対する被吸引部材４０２の組付け状態を、組付け初期状態、組付け途中状態、および組付け完了状態の３段階に分けて表す。より具体的には、図１５Ａ〜図１５Ｃは、センタ部材４０１の円環形状突起部４０１Ａの側面の表面展開図を示し、更に、この展開図において、被吸引部材４０２の突起部４０２Ｂの位置推移を示している。なお、突起部４０２Ｂは、上述の通り、センタ部材４０１に形成された凹溝形状部４０１Ｂに係合する部材である。
【００４９】
センタ部材４０１と被吸引部材４０２を組付ける際の手順は、以下の通りである。まず始めに、センタ部材４０１の円環形状突起部４０１Ａが被吸引部材４０２の中央穴部から突出するように、被吸引部材４０２の突起部４０２Ｂが、センタ部材４０１の凹溝形状部４０１Ｂに係合された状態（図１５Ａに示す状態）をつくる。そして、被吸引部材４０２が、センタ部材４０１の円盤形状部４０１Ｆに接触する位置まで移動された状態（図１５Ｂに示す状態）をつくる。そして、被吸引部材４０２の突起部４０２Ｂが、センタ部材４０１の空間Ｔに対して嵌合する方向に被吸引部材４０２を回転された状態（図１５Ｃに示す状態）をつくる。このとき、被吸引部材４０２の係合突起部４０２Ｄが、センタ部材４０１に形成された４個の穴４０１Ｄの内２個に対して係合された状態となる。これにより、組付けが完了する。
【００５０】
このように、上述の構成を有するクランプ部４００は、センタ部材４０１と被吸引部材４０２の組付け作業が容易である。また、上述の構成を有するクランプ部４００は、センタ部材４０１に形成された穴４０１Ｄに対し被吸引部材４０２の係合突起部４０２Ｄが係合されている。これにより、クランプ部４００は、振動や衝撃等による外乱によってセンタ部材４０１に対する被吸引部材４０２の組み付けが外れる可能性を低減することができる。
【００５１】
次に、スピンドルモータ３００に対してクランプ部４００を接近および離反させるための構成（以下「ガイド構成」という）について図１６〜図１８を用いて説明する。
【００５２】
図１６は、本実施の形態におけるクランプ部４００のガイド構成の平面図および断面図である。図１６Ａは、本実施の形態におけるクランプ部４００のガイド構成の平面図である。図１６Ｂは、本実施の形態におけるクランプ部４００のガイド構成の断面図である。
【００５３】
図１７は、本実施の形態におけるディスククランプユニット７００の平面図および左側面図である。図１７Ａは、本実施の形態におけるディスククランプユニット７００の平面図である。図１７Ｂは、本実施の形態におけるディスククランプユニット７００の左側面図である。図１７Ａおよび図１７Ｂは、ディスク２００をクランプする前の状態を示している。
【００５４】
図１８は、本実施の形態におけるディスククランプユニット７００の平面図および左側面図である。図１８Ａは本実施の形態におけるディスククランプユニット７００の平面図であり、図１８Ｂは本実施の形態におけるディスククランプユニット７００の左側面図であり、図１８Ａおよび図１８Ｂはディスク２００をクランプした状態を示す。
【００５５】
また、図１７〜図１８において、クランプガイド５００の動作や構成を説明するにあたり、ベースシャーシ１００およびスライダ５０２を、概略の形状にて記載している。
【００５６】
ベースシャーシ１００には、支点軸１０１（Ｌ）および支点軸１０１（Ｒ）が設けられている。また、クランプアーム５０１は、ベースシャーシ１００の支点軸１０１（Ｌ）および支点軸１０１（Ｒ）によって回動可能に支持され、クランプガイド５００がカシメ固定された、アームである。クランプガイド５００は、クランプ部４００の周端部を拘束する形で構成および配置されている。
【００５７】
クランプアーム５０１には、曲げ部５０１Ａ（Ｌ）および曲げ部５０１Ａ（Ｒ）が、クランプ部４００に対して左右対称となるように、形成および配置されている。また、クランプガイド５００には、曲げ部５００Ａ（Ｌ）および曲げ部５００Ａ（Ｒ）が形成されている。これら曲げ部５００Ａ（Ｌ）および曲げ部５００Ａ（Ｒ）の上方に、曲げ部５０１Ａ（Ｌ）および曲げ部５０１Ａ（Ｒ）が積層配置されることにより、クランプアーム５０１のＺ方向の正方向への移動が制限されている。
【００５８】
また、クランプアーム５０１には、受け部５０１Ｂ（Ｌ）および受け部５０１Ｂ（Ｒ）が、クランプ部４００に対して左右対称となるように、形成および配置されている。また、クランプガイド５００には、円弧状曲げ部５００Ｂ（Ｌ）および円弧状曲げ部５００Ｂ（Ｒ）が形成されている。これら円弧状曲げ部５００Ｂ（Ｌ）および円弧状曲げ部５００Ｂ（Ｒ）の下方に、受け部５０１Ｂが積層配置されることで、クランプアーム５０１のＺ方向の負方向への移動を制限している。
【００５９】
またクランプアーム５０１の左右には、ベースシャーシ１００方向へ伸びた側面曲げが形成されている。左側の側面曲げには穴５０１Ｃ（Ｌ）が設けられ、右側の側面曲げには穴５０１Ｃ（Ｒ）が設けられている（いずれも図示せず）。ベースシャーシ１００に設けられた支点軸１０１（Ｌ）および支点軸１０１（Ｒ）は、それぞれ、穴５０１Ｃ（Ｌ）および穴５０１Ｃ（Ｒ）に嵌合し、回動可能に支持されている。また、クランプアーム５０１の一方の側面曲げには、軸１０２が固定で設置されている。軸１０２は、スライダ５０２のカム面５０２Ａに接触している。
【００６０】
クランプガイド５００には、クランプ部４００の上方の位置に面５００Ｄが形成されている。面５００Ｄには、クランプ部４００のセンタ部材４０１の外形周囲に対応する位置に、曲げ部５００Ａ、曲げ部５００Ｃ、および曲げ部５００Ｅが形成されている。センタ部材４０１の略円盤形状４０１Ｆの外形と、曲げ部５００Ａ、曲げ部５００Ｃ、および曲げ部５００Ｅとが接触する事により、クランプ部４００のＸＹ平面方向への移動およびガタツキを規制している。
【００６１】
また、クランプガイド５００には、円弧状曲げ部５００Ｂ（Ｌ）および円弧状曲げ部５００Ｂ（Ｒ）が、クランプ部４００に対して左右対称となるように、形成および配置されている。また、円弧状曲げ部５００Ｂは、クランプ部４００の被吸引部材４０２のヒサシ部４０２Ａの下方に、ヒサシ部４０２Ａに接触して配置される。したがって、クランプ部４００のＺ方向の移動は、上側では面５００Ｄにより規制され、下方では円弧状曲げ部５００Ｂにより規制される。
【００６２】
以上のような構成により、クランプ部４００はクランプガイド５００により位置拘束される。そしてこれにより、クランプ部４００とクランプガイド５００とのクリアランスは安定して確保されつつ、クランプ部４００が振動等の外乱によりクランプガイド５００から外れるのを防止することができる。
【００６３】
スライダ５０２、スライダ５０２の駆動源となるモータ５０４、およびギヤ列５０３は、ベースシャーシ１００上に設置されている。モータ５０４の駆動力は、ギヤ列５０３を介して、スライダ５０２のラック部５０２Ｂに伝達される。すなわち、スライダ５０２およびギヤ列５０３は、モータ５０４の正逆回転によってスライダ５０２がＹ方向において移動可能な構成となっている。
【００６４】
ディスククランプユニット７００は、スピンドルモータ３００に対してクランプ部４００を接近させようとする場合、モータ５０４の駆動によってスライダ５０２をＹ方向の負方向に移動させる。その際、スライダ５０２のカム面５０２Ａに接合している軸１０２は、カム面５０２Ａに沿ってＺ方向の負方向に移動し、クランプアーム５０１は、支点軸１０１を支軸として回動する。これにより、クランプガイド５００およびクランプ部４００は、スピンドルモータ３００に接近する。
【００６５】
また逆に、ディスククランプユニット７００は、スピンドルモータ３００に対してクランプ部４００を離反させようとする場合、モータ５０４を反転駆動させることにより、スライダ５０２をＹ方向の正方向に移動させる。その際、スライダ５０２のカム面５０２Ａに接合している軸１０２は、カム面５０２Ａに沿ってＺ方向の正方向に移動し、クランプアーム５０１は、支点軸１０１を支点として回動する。これにより、クランプガイド５００およびクランプ部４００は、スピンドルモータ３００から離反する。
【００６６】
以上のような動作により、スピンドルモータ３００上に載置されたディスク２００は、スピンドルモータ３００とクランプ部４００とによって挟持される。
【００６７】
なお、以上説明した実施の形態においては、ディスク２００をクランプする構成として、ベースシャーシ１００に設けられたスライダ５０２の移動によりクランプ部４００をＺ方向に移動させる構成について説明したが、これに限定されない。例えば、クランプ部４００に対してベースシャーシ１００をＺ方向に移動させる構成によっても、ディスク２００をクランプすることができる。
【００６８】
また、クランプアーム５０１とクランプガイド５００とを別部品の構成としたが、これに限定されない、例えば、クランプアーム５０１およびクランプガイド５００は、クランプアーム５０１にクランプガイド５００の機能を持たせた、いわゆる一体構成であっても良い。
【００６９】
以上のように、本発明によれば、スピンドルモータ３００の回転軸３００Ａおよび調芯リング３０１の突起部３０１Ｃが、クランプ部４００のセンタ部材４０１に形成された円環形状突起部４０１Ａに形成された空間４０１Ｇに嵌合する。これにより、本発明は、クランプ部４００およびクランプ部４００のセンタリング構成（ディスククランプユニット）の更なる薄型化を可能にしたディスク装置を提供することができる。
【００７０】
２００８年１２月１８日出願の特願２００８−３２２１５０の日本出願に含まれる明細書、図面および要約書の開示内容は、すべて本願に援用される。
【産業上の利用可能性】
【００７１】
以上のように、本発明に係るディスク装置は、スピンドルモータの回転軸および調芯リングに形成された突起部に対し、クランプ部の円環形状突起部によって形成された凹部空間が嵌合するので、クランプ部のセンタリング構成を薄型化できるという効果を有する。すなわち、本発明に係るディスク装置は、ディスククランプユニットの更なる薄型化を図ることができるディスク装置として有用である。
【符号の説明】
【００７２】
１００  ベースシャーシ
２００  ディスク
３００  スピンドルモータ
３０１  調芯リング
３０２  マグネット
４００  クランプ部
４０１  センタ部材
４０２  被吸引部材
５００  クランプガイド
５０１  クランプアーム
５０２  スライダ
５０３  ギヤ列
５０４  モータ  
６００  カーオーディオ装置
６０３  前面パネル
７００  ディスククランプユニット
【図１】
2010070924.tif 000003
【図２】
2010070924.tif 000004
【図３】
2010070924.tif 000005
【図４】
2010070924.tif 000006
【図５】
2010070924.tif 000007
【図６】
2010070924.tif 000008
【図７】
2010070924.tif 000009
【図８】
2010070924.tif 000010
【図９】
2010070924.tif 000011
【図１０】
2010070924.tif 000012
【図１１】
2010070924.tif 000013
【図１２】
2010070924.tif 000014
【図１３】
2010070924.tif 000015
【図１４】
2010070924.tif 000016
【図１５】
2010070924.tif 000017
【図１６】
2010070924.tif 000018
【図１７】
2010070924.tif 000019
【図１８】
2010070924.tif 000020
【手続補正書】
【提出日】平成22年11月18日(2010.11.18)
【手続補正１】
【補正対象書類名】明細書
【補正対象項目名】全文
【補正方法】変更
【補正の内容】
【発明の詳細な説明】
【技術分野】
【０００１】
本発明は、ディスクを載置して回転させるディスク装置に関するものである。
【背景技術】
【０００２】
従来のディスク装置として、ディスクを回転させるスピンドルモータの回転軸と、同軸的にしかも着脱自在に固定する、磁石の磁力を利用したディスククランプユニットが知られている（例えば特許文献１参照）。
【０００３】
そして、従来のディスククランプユニットには、ディスクチャック部のクランパに対向する側に設けられた凹部内に、中空円板状の永久磁石とヨークとの積層体が固定されている。この永久磁石は、凹部内の段部により、位置決めされている。
【先行技術文献】
【特許文献】
【０００４】
【特許文献１】特開２００３−２２８９００号公報
【発明の概要】
【発明が解決しようとする課題】
【０００５】
しかしながら、従来のディスククランプユニットは、図１および図２に示すように、スピンドルモータ１の回転軸１Ａの延在方向に配置されるクランプ３のセンタリング部の存在により、薄型化が困難であった。また、ディスクテーブル２とクランプ３により圧着保持されるディスク７、８の厚みには、バラツキがある。そして、このバラツキにより、ディスクテーブル２とクランプ３の相対位置が接近もしくは離反し、クランプ３のセンタリング部においてディスクテーブル２とクランプ３の間に生じるクリアランス９が一定ではない。したがって、ディスクテーブル２に対するクランプ３のセンタリング位置の精度が低下し、ディスクの再生時または記録時に異音が発生したり再生性能が低下するという不都合があった。
【０００６】
本発明の目的は、ディスククランプユニットの更なる薄型化を可能にしたディスク装置を提供することである。
【課題を解決するための手段】
【０００７】
本発明のディスク装置は、ディスクの定置および回転を行うスピンドルモータと、前記スピンドルモータの回転軸に固定された調芯リングと、前記ディスクを前記スピンドルモータ上に装着するクランプ部とを備え、前記調芯リングは、前記スピンドルモータの回転軸の周囲に形成した突起部と、前記突起部と空間を挟んで前記スピンドルモータの回転軸の周囲に設けられた磁気吸引手段とを有し、前記クランプ部は前記突起部が嵌合する凹部空間が形成されたセンタ部材と、前記磁気吸引手段に吸引される被吸引部材とを有し、前記突起部の前記凹部空間への嵌合と、前記磁気吸引手段から受ける吸引力とによって、前記ディスクを前記スピンドルモータ上に装着する。
【０００８】
この構成により、本発明に係るディスク装置は、クランプ部が調芯リングに位置決めされ、かつ、磁気吸引手段によりクランプ部がディスク回転部に近接する方向に吸引されることにより、ディスクをクランプすることができる。
【０００９】
また、本発明のディスク装置は、調芯リングにスピンドルモータの回転軸の周囲に位置するように設けられた突起部が、クランプ部の円環形状突起部が形成する凹部空間に嵌合
するので、厚みを抑えたクランプ部のセンタリング構成が可能となる。
【００１０】
また、本発明のディスク装置は、前記センタ部材は凹溝形状部を有し、前記被吸引部材は、前記凹溝部形状部に係合可能な係合突起部を有し、前記クランプ部は、前記凹溝形状部と前記係合突起部との係合により、前記センタ部材と前記被吸引部材とが組み合わされた構成を有している。
【００１１】
この構成により、本発明のディスク装置は、凹溝形状に対し、被吸着部に形成した係合突起部を嵌合するという簡単な作業によって、クランプ部の組み込みを行うことができる。
【００１２】
また、本発明のディスク装置は、前記クランプ部を前記スピンドルモータに対して近接離反可能に保持するクランプガイド更にを備え、前記クランプ部は、前記スピンドルモータの回転に従って回転し、その回転中心において前記クランプガイドに接触する曲面凸部と、前記曲面凸部を囲んで設けられた凹溝とを有する。
【００１３】
この構成により、本発明のディスク装置は、曲面凸部表面に塗布したグリス等の潤滑材が、ディスク回転時に曲面凸部外周方向に流出した場合でも、凸部周囲に設けられた凹部内に潤滑材を留め、クランプされたディスクに対して潤滑材が付着することを防止することができる。
【発明の効果】
【００１４】
本発明のディスク装置は、スピンドルモータの回転軸および調芯リングに形成された突起部に対し、クランプ部のセンタ部材に形成された凹部空間が嵌合する。これにより、クランプ部のセンタリング構成を薄型化することができ、ディスククランプユニットの更なる薄型化を可能にしたディスク装置を提供することができる。
【図面の簡単な説明】
【００１５】
【図１】従来のディスククランプユニットの正面方向断面図
【図２】従来のディスククランプユニットの正面方向断面図
【図３】本発明の実施の形態における電子装置としてのカーオーディオ装置の全体斜視図
【図４】本実施の形態に係るディスク装置の要部の斜視図
【図５】本実施の形態に係るディスククランプユニットの要部の第１の矢視断面図
【図６】本実施の形態に係るディスククランプユニットの要部の第２の矢視断面図
【図７】本実施の形態に係るディスククランプユニットの要部の第１の拡大図
【図８】本実施の形態に係るディスククランプユニットの要部の第３の矢視断面図
【図９】本実施の形態に係るディスククランプユニットの要部の第２の拡大図
【図１０】本実施の形態におけるクランプ部の平面図および断面図
【図１１】本実施の形態におけるセンタ部材の平面図および右側面図
【図１２】本実施の形態における被吸引部材の平面図および断面図
【図１３】本実施の形態におけるクランプ部の組付け前の状態の分解斜視図
【図１４】本実施の形態におけるクランプ部の組付け後の状態の斜視図
【図１５】本実施の形態におけるセンタ部材に対する被吸引部材の組付け状態図
【図１６】本実施の形態におけるクランプ部のガイド構成の平面図および断面図
【図１７】本実施の形態におけるクランプユニットの平面図および左側面図
【図１８】本実施の形態におけるクランプユニットの平面図および左側面図
【発明を実施するための形態】
【００１６】
以下、本発明の一実施の形態について、図３〜図１８の図面を用いて説明する。
【００１７】
本実施の形態において、ディスク装置の実使用状態を基準として、ディスク挿入口がある面を正面、左右方向をＸ方向（右方向を正方向とする）、奥行き方向をＹ方向（奥行き方向を正方向とする）、厚み方向をＺ方向（上面方向を正方向とする）として、それぞれ定義する。
【００１８】
図３は、本実施の形態に係るディスク装置を内蔵する電子装置としてのカーオーディオ装置６００の全体斜視図である。
【００１９】
このカーオーディオ装置６００は、ディスク装置のほかに、ラジオ６０１、カセットテープ再生装置６０２等を内蔵している。また、カーオーディオ装置６００は、前面パネル６０３に、全機能に共有される表示部６０３Ａおよび電源／ボリュームつまみ６０３Ｂと、ディスク装置におけるディスク挿排口６０４Ａと、ラジオ用のチューニングつまみ６０１Ａと、カセットテープ挿排口６０２Ａ等とを有する。また、カーオーディオ装置６００は、内部に、ラジオ、カセットテープ再生装置、ディスク装置等を制御する制御部（図示せず）を有する。
【００２０】
図４は、本実施の形態に係るディスク装置の主要部であるディスククランプユニット７００の要部の全体斜視図である。
【００２１】
ディスククランプユニット７００は、ベースシャーシ１００に設置され、スピンドルモータ３００、調芯リング３０１、クランプ部４００、およびクランプガイド５００を備えている。
【００２２】
スピンドルモータ３００は、ディスク２００を載置し、載置したディスク２００を回転させる。調芯リング３０１は、スピンドルモータ３００の回転軸に固定され、ディスク２００をスピンドルモータ３００に載置する際に、ディスク２００のセンターホール２００Ａをガイドする。より具体的には、調芯リング３０１は、ディスク２００のセンターホール２００Ａの中心を通る仮想軸と、スピンドルモータ３００の回転軸とが同軸になるように、センターホール２００Ａをガイドする。クランプ部４００は、ディスク２００が回転する際に、ディスク２００を、スピンドルモータ３００との間で挟持する。クランプガイド５００は、クランプ部４００を、スピンドルモータ３００に対して接近および離反させて、クランプ部４００を保持する。なお、図４において、ディスク２００は、その下面に設置された部品が見えるように、内部を透過表示し、外形線のみで表記されている。また、図４において、クランプ部４００は、ディスク２００を挟持する前の状態で表記されている。
【００２３】
次に、図４と、図４に示すＳ方向から見たときのスピンドルモータ３００およびクランプ部４００の断面を示す図５〜図９を用いて、スピンドルモータ３００およびクランプ部４００の構成について説明する。
【００２４】
図５は、本実施の形態に係るディスククランプユニット７００の要部を図４のＳ方向からみたときの矢視断面図である。図５は、ディスク２００がスピンドルモータ３００上に載置された状態で、なおかつ、ディスク２００がスピンドルモータ３００およびクランプ部４００に挟持される前の状態における、ディスククランプユニット７００の断面図を示す。
【００２５】
図６は、本実施の形態に係るディスククランプユニット７００の要部を図４のＳ方向からみたときの矢視断面図であり、ディスク２００がスピンドルモータ３００およびクランプ部４００に挟持された状態を示す。なお前記ディスク２００は厚みの薄いディスク（厚みｔ１.１ｍｍ）である。
【００２６】
図７は、本実施の形態に係る図６に示すディスククランプユニット７００の要部の拡大図である。
【００２７】
図８は、本実施の形態に係るディスククランプユニット７００の要部を図４のＳ方向からみたときの矢視断面図であり、ディスク２００がスピンドルモータ３００およびクランプ部４００に挟持された状態を示す。なお、ディスク２００は、厚みの厚いディスク（例えば、厚みｔ＝１.５ｍｍ）である。
【００２８】
図９は、本実施の形態に係る図８に示すクランプユニット要部の拡大図である。
【００２９】
ここで、ディスク２００の位置規制に関して説明する。
【００３０】
スピンドルモータ３００上に載置されたディスク２００は、調芯リング３０１のディスクガイド面３０１Ａにより、Ｘ方向への移動およびＹ方向への移動を制限され、スピンドルモータ３００の回転軸と同芯となる位置に規制される。また、スピンドルモータ３００上に載置されたディスク２００は、スピンドルモータ３００とクランプ部４００とによって挟持されることで、スピンドルモータ３００に対するＺ方向への移動を規制される。すなわち、ディスク２００は、クランプ部４００によって、スピンドルモータ３００上に装着される。
【００３１】
調芯リング３０１は、マグネット３０２を収納可能な空間３０１Ｂを有している。そして、調芯リング３０１は、この空間３０１Ｂ内の、空間３０１Ｂを形成する面に固定された、円環状のマグネット３０２を有している。マグネット３０２は、クランプ部４００を磁気吸引する磁気吸引手段である。なお、マグネット３０２は、スピンドルモータ３００の回転軸の周囲に配置されていれば良く、例えば、調芯リング３０１がマグネット３０２よりも外側に配置されている形態であっても良い。
【００３２】
クランプ部４００は、センタ部材４０１と被吸引部材４０２とが組み合わされた構成を有している。被吸引部材４０２は、磁気吸引可能な物性（鉄など）を有し、マグネット３０２の磁気吸引力により、Ｚ方向の負方向に磁気吸引される。この結果、クランプ部４００は、ディスク２００を、スピンドルモータ３００との間で挟持する。センタ部材４０１は、被吸引部材４０２上に積層されている。また、センタ部材４０１には、円環形状突起部４０１Ａが形成されている。円環形状突起部４０１Ａは、被吸引部材４０２の中央部に形成された穴を貫通して、被吸引部材４０２の下面より突出している。
【００３３】
また、ここで、スピンドルモータ３００に対するクランプ部４００のセンタリングについて説明する。
【００３４】
クランプ部４００のセンタ部材４０１に形成された円環形状突起部４０１Ａには、凹部空間４０１Ｇが形成されている。この凹部空間４０１Ｇにより、円環形状突起部４０１Ａは、円環形状となっている。また、調芯リング３０１は、スピンドルモータ３００の回転軸３００Ａに固定されている。そして、調芯リング３０１には、回転軸３００Ａの周囲に、リング状の突起部３０１Ｃが形成されている。ディスククランプの際、調芯リング３０１の突起部３０１Ｃは、クランプ部４００のセンタ部材４０１の円環形状突起部４０１Ａに形成された凹部空間４０１Ｇに嵌合する。これにより、クランプ部４００は、スピンドルモータ３００に対するＸ方向の移動およびＹ方向の移動を制限されて、スピンドルモータ３００に対してセンタリングされる。
【００３５】
また、図６〜図９に示すように、センタ部材４０１の円環形状突起部４０１Ａに形成さ
れた凹部空間４０１Ｇは、調芯リング３０１のリング状突起部３０１Ｃが入れ子状に嵌合可能なように形成されている。このため、ディスク２００がスピンドルモータ３００とクランプ部４００とによって挟持された状態であっても、センタ部材４０１の円環形状突起部４０１Ａと調芯リング３０１の突起部３０１Ｃとは、入れ子状に嵌合保持される。また、この嵌合保持は、厚みの薄いディスク２００であるか厚みの厚いディスク２００であるかによらない。すなわち、ディスククランプユニット７００は、ディスク２００の厚みがばらついている場合でも、スピンドルモータ３００に対するクランプ部４００のセンタリング精度を高いレベルに維持できる。
【００３６】
また、図６〜図９に示すように、スピンドルモータ３００の回転軸３００Ａおよび調芯リング３０１の突起部３０１Ｃは、クランプ部４００の空間４０１Ｇ内に嵌合する。これにより、クランプ部４００およびクランプ部４００のセンタリング構成の薄型化が可能となり、ディスククランプユニット７００およびこれを内蔵する各種装置の薄型化が可能となる。
【００３７】
また、本構成では、被吸引部材４０２は、クランプ部４００において、センタ部材４０１の積層下側に配置される。これにより、マグネット３０２の磁気吸引力を受ける被吸引部材４０２の相対距離を、マグネット３０２と接触可能な位置まで近接配置可能となる。したがって、マグネット３０２による磁気吸引力を最大限に発揮することができ、マグネット３０２によるディスク２００のクランプ保持性能を向上させることができる。
【００３８】
次に、クランプ部４００の構成について、図１０〜図１５を用いて説明する。
【００３９】
図１０は、本実施の形態におけるクランプ部４００の平面図および断面図である。図１０Ａは、本実施の形態におけるクランプ部４００の平面図である。図１０Ｂは、本発実施の形態におけるクランプ部４００の断面図である。
【００４０】
図１１は、本実施の形態におけるクランプ部４００のセンタ部材４０１の平面図および右側面図である。図１１Ａは、本実施の形態におけるクランプ部４００のセンタ部材４０１の平面図である。図１１Ｂは、本実施の形態におけるクランプ部４００のセンタ部材４０１の右側面図である。
【００４１】
図１２は、本実施の形態におけるクランプ部４００の被吸引部材４０２の平面図および断面図である。図１２Ａは、本実施の形態におけるクランプ部４００の被吸引部材４０２の平面図である。図１２Ｂは、本実施の形態におけるクランプ部４００の被吸引部材４０２の断面図である。
【００４２】
センタ部材４０１の円環形状突起部４０１Ａに形成された凹部空間４０１Ｇは、調芯リング３０１の突起部３０１Ｃに対して嵌合する。このため、センタ部材４０１は、調芯リング３０１との相互の摺動性の確保や、センタ部材４０１および調芯リング３０１の傷付きの防止を考慮して、樹脂材料を採用するのが望ましい。一方で、センタ部材４０１は、金属材料で構成することも可能である。被吸引部材４０２は、マグネット３０２により磁気吸引可能な物性（鉄など）からなる。
【００４３】
図１１Ａおよび図１１Ｂに示すように、センタ部材４０１は、円盤形状部４０１Ｆと円環形状の円環形状突起部４０１Ａとが一体となった形状をしている。円環形状突起部４０１Ａの側面には、４個の同一形状の凹溝形状部４０１Ｂが形成されている。凹溝形状部４０１Ｂは、円盤形状部４０１Ｆの下面と、凹溝形状部４０１Ｂの円周方向溝端面とで形成される、空間Ｔを有する。円盤形状部４０１Ｆには、４つの同一形状の円形の穴４０１Ｄが、９０度ずつ位置をずらして形成されている。円盤形状部４０１Ｆの中央には、円環形
状突起部４０１Ａが配置されている側の面とは逆の面の側に、ドーム形状の曲面凸部４０１Ｈが形成されている。そして、曲面凸部４０１Ｈの周囲には、円環状の凹溝４０１Ｉが形成されている。
【００４４】
図４〜図９記載のクランプガイド５００は、ディスク２００の回転時に、曲面凸部４０１Ｈに対して接触した状態となる。この曲面凸部４０１Ｈの接触部には、グリス等の潤滑剤が塗布される。したがって、曲面凸部４０１Ｈに塗布されたグリスは、ディスク２００の回転により、外周方向へ流出し得る。このような場合でも、グリスは凹溝４０１Ｉ内に溜まることとなり、周囲へのグリス飛散やディスクへのグリス付着を防止することができる。
【００４５】
図１２Ａおよび図１２Ｂに示すように、被吸引部材４０２は円盤形状を有する。被吸引部材４０２の外周側には、ひさし部４０２Ａが形成されている。被吸引部材４０２の内周側には、ディスク２００がクランプされる際にディスク２００と接触するディスク接触部４０２Ｅが形成されている。被吸引部材４０２の中央には、穴部を有する面が形成されている。この被吸引部材４０２の中央の面には、被吸引部材４０２の中心方向に向いた４個の同一形状の突起部４０２Ｂが形成されている。そして、中央穴部の外周方向側には、２個のドーム形状の係合突起部４０２Ｄが、中央穴部をはさむ様な形で形成されている。
【００４６】
ここで、クランプ部４００のセンタ部材４０１と被吸引部材４０２とを組付ける際の手順について説明する。
【００４７】
図１３は、本実施の形態におけるクランプ部４００の組付け前状態の分解斜視図である。図１４は、本実施の形態におけるクランプ部４００の組付け後状態の斜視図である。
【００４８】
図１５は、本実施の形態のクランプ部４００における、センタ部材４０１に対する被吸引部材４０２の組付け状態図である。図１５Ａ〜図１５Ｃは、順に、センタ部材４０１に対する被吸引部材４０２の組付け状態を、組付け初期状態、組付け途中状態、および組付け完了状態の３段階に分けて表す。より具体的には、図１５Ａ〜図１５Ｃは、センタ部材４０１の円環形状突起部４０１Ａの側面の表面展開図を示し、更に、この展開図において、被吸引部材４０２の突起部４０２Ｂの位置推移を示している。なお、突起部４０２Ｂは、上述の通り、センタ部材４０１に形成された凹溝形状部４０１Ｂに係合する部材である。
【００４９】
センタ部材４０１と被吸引部材４０２を組付ける際の手順は、以下の通りである。まず始めに、センタ部材４０１の円環形状突起部４０１Ａが被吸引部材４０２の中央穴部から突出するように、被吸引部材４０２の突起部４０２Ｂが、センタ部材４０１の凹溝形状部４０１Ｂに係合された状態（図１５Ａに示す状態）をつくる。そして、被吸引部材４０２が、センタ部材４０１の円盤形状部４０１Ｆに接触する位置まで移動された状態（図１５Ｂに示す状態）をつくる。そして、被吸引部材４０２の突起部４０２Ｂが、センタ部材４０１の空間Ｔに対して嵌合する方向に被吸引部材４０２を回転された状態（図１５Ｃに示す状態）をつくる。このとき、被吸引部材４０２の係合突起部４０２Ｄが、センタ部材４０１に形成された４個の穴４０１Ｄの内２個に対して係合された状態となる。これにより、組付けが完了する。
【００５０】
このように、上述の構成を有するクランプ部４００は、センタ部材４０１と被吸引部材４０２の組付け作業が容易である。また、上述の構成を有するクランプ部４００は、センタ部材４０１に形成された穴４０１Ｄに対し被吸引部材４０２の係合突起部４０２Ｄが係合されている。これにより、クランプ部４００は、振動や衝撃等による外乱によってセンタ部材４０１に対する被吸引部材４０２の組み付けが外れる可能性を低減することができ
る。
【００５１】
次に、スピンドルモータ３００に対してクランプ部４００を接近および離反させるための構成（以下「ガイド構成」という）について図１６〜図１８を用いて説明する。
【００５２】
図１６は、本実施の形態におけるクランプ部４００のガイド構成の平面図および断面図である。図１６Ａは、本実施の形態におけるクランプ部４００のガイド構成の平面図である。図１６Ｂは、本実施の形態におけるクランプ部４００のガイド構成の断面図である。
【００５３】
図１７は、本実施の形態におけるディスククランプユニット７００の平面図および左側面図である。図１７Ａは、本実施の形態におけるディスククランプユニット７００の平面図である。図１７Ｂは、本実施の形態におけるディスククランプユニット７００の左側面図である。図１７Ａおよび図１７Ｂは、ディスク２００をクランプする前の状態を示している。
【００５４】
図１８は、本実施の形態におけるディスククランプユニット７００の平面図および左側面図である。図１８Ａは本実施の形態におけるディスククランプユニット７００の平面図であり、図１８Ｂは本実施の形態におけるディスククランプユニット７００の左側面図であり、図１８Ａおよび図１８Ｂはディスク２００をクランプした状態を示す。
【００５５】
また、図１７〜図１８において、クランプガイド５００の動作や構成を説明するにあたり、ベースシャーシ１００およびスライダ５０２を、概略の形状にて記載している。
【００５６】
ベースシャーシ１００には、支点軸１０１（Ｌ）および支点軸１０１（Ｒ）が設けられている。また、クランプアーム５０１は、ベースシャーシ１００の支点軸１０１（Ｌ）および支点軸１０１（Ｒ）によって回動可能に支持され、クランプガイド５００がカシメ固定された、アームである。クランプガイド５００は、クランプ部４００の周端部を拘束する形で構成および配置されている。
【００５７】
クランプアーム５０１には、曲げ部５０１Ａ（Ｌ）および曲げ部５０１Ａ（Ｒ）が、クランプ部４００に対して左右対称となるように、形成および配置されている。また、クランプガイド５００には、曲げ部５００Ａ（Ｌ）および曲げ部５００Ａ（Ｒ）が形成されている。これら曲げ部５００Ａ（Ｌ）および曲げ部５００Ａ（Ｒ）の上方に、曲げ部５０１Ａ（Ｌ）および曲げ部５０１Ａ（Ｒ）が積層配置されることにより、クランプアーム５０１のＺ方向の正方向への移動が制限されている。
【００５８】
また、クランプアーム５０１には、受け部５０１Ｂ（Ｌ）および受け部５０１Ｂ（Ｒ）が、クランプ部４００に対して左右対称となるように、形成および配置されている。また、クランプガイド５００には、円弧状曲げ部５００Ｂ（Ｌ）および円弧状曲げ部５００Ｂ（Ｒ）が形成されている。これら円弧状曲げ部５００Ｂ（Ｌ）および円弧状曲げ部５００Ｂ（Ｒ）の下方に、受け部５０１Ｂが積層配置されることで、クランプアーム５０１のＺ方向の負方向への移動を制限している。
【００５９】
またクランプアーム５０１の左右には、ベースシャーシ１００方向へ伸びた側面曲げが形成されている。左側の側面曲げには穴５０１Ｃ（Ｌ）が設けられ、右側の側面曲げには穴５０１Ｃ（Ｒ）が設けられている（いずれも図示せず）。ベースシャーシ１００に設けられた支点軸１０１（Ｌ）および支点軸１０１（Ｒ）は、それぞれ、穴５０１Ｃ（Ｌ）および穴５０１Ｃ（Ｒ）に嵌合し、回動可能に支持されている。また、クランプアーム５０１の一方の側面曲げには、軸１０２が固定で設置されている。軸１０２は、スライダ５０２のカム面５０２Ａに接触している。
【００６０】
クランプガイド５００には、クランプ部４００の上方の位置に面５００Ｄが形成されている。面５００Ｄには、クランプ部４００のセンタ部材４０１の外形周囲に対応する位置に、曲げ部５００Ａ、曲げ部５００Ｃ、および曲げ部５００Ｅが形成されている。センタ部材４０１の略円盤形状４０１Ｆの外形と、曲げ部５００Ａ、曲げ部５００Ｃ、および曲げ部５００Ｅとが接触する事により、クランプ部４００のＸＹ平面方向への移動およびガタツキを規制している。
【００６１】
また、クランプガイド５００には、円弧状曲げ部５００Ｂ（Ｌ）および円弧状曲げ部５００Ｂ（Ｒ）が、クランプ部４００に対して左右対称となるように、形成および配置されている。また、円弧状曲げ部５００Ｂは、クランプ部４００の被吸引部材４０２のヒサシ部４０２Ａの下方に、ヒサシ部４０２Ａに接触して配置される。したがって、クランプ部４００のＺ方向の移動は、上側では面５００Ｄにより規制され、下方では円弧状曲げ部５００Ｂにより規制される。
【００６２】
以上のような構成により、クランプ部４００はクランプガイド５００により位置拘束される。そしてこれにより、クランプ部４００とクランプガイド５００とのクリアランスは安定して確保されつつ、クランプ部４００が振動等の外乱によりクランプガイド５００から外れるのを防止することができる。
【００６３】
スライダ５０２、スライダ５０２の駆動源となるモータ５０４、およびギヤ列５０３は、ベースシャーシ１００上に設置されている。モータ５０４の駆動力は、ギヤ列５０３を介して、スライダ５０２のラック部５０２Ｂに伝達される。すなわち、スライダ５０２およびギヤ列５０３は、モータ５０４の正逆回転によってスライダ５０２がＹ方向において移動可能な構成となっている。
【００６４】
ディスククランプユニット７００は、スピンドルモータ３００に対してクランプ部４００を接近させようとする場合、モータ５０４の駆動によってスライダ５０２をＹ方向の負方向に移動させる。その際、スライダ５０２のカム面５０２Ａに接合している軸１０２は、カム面５０２Ａに沿ってＺ方向の負方向に移動し、クランプアーム５０１は、支点軸１０１を支軸として回動する。これにより、クランプガイド５００およびクランプ部４００は、スピンドルモータ３００に接近する。
【００６５】
また逆に、ディスククランプユニット７００は、スピンドルモータ３００に対してクランプ部４００を離反させようとする場合、モータ５０４を反転駆動させることにより、スライダ５０２をＹ方向の正方向に移動させる。その際、スライダ５０２のカム面５０２Ａに接合している軸１０２は、カム面５０２Ａに沿ってＺ方向の正方向に移動し、クランプアーム５０１は、支点軸１０１を支点として回動する。これにより、クランプガイド５００およびクランプ部４００は、スピンドルモータ３００から離反する。
【００６６】
以上のような動作により、スピンドルモータ３００上に載置されたディスク２００は、スピンドルモータ３００とクランプ部４００とによって挟持される。
【００６７】
なお、以上説明した実施の形態においては、ディスク２００をクランプする構成として、ベースシャーシ１００に設けられたスライダ５０２の移動によりクランプ部４００をＺ方向に移動させる構成について説明したが、これに限定されない。例えば、クランプ部４００に対してベースシャーシ１００をＺ方向に移動させる構成によっても、ディスク２００をクランプすることができる。
【００６８】
また、クランプアーム５０１とクランプガイド５００とを別部品の構成としたが、これ
に限定されない、例えば、クランプアーム５０１およびクランプガイド５００は、クランプアーム５０１にクランプガイド５００の機能を持たせた、いわゆる一体構成であっても良い。
【００６９】
以上のように、本発明によれば、スピンドルモータ３００の回転軸３００Ａおよび調芯リング３０１の突起部３０１Ｃが、クランプ部４００のセンタ部材４０１に形成された円環形状突起部４０１Ａに形成された空間４０１Ｇに嵌合する。これにより、本発明は、クランプ部４００およびクランプ部４００のセンタリング構成（ディスククランプユニット）の更なる薄型化を可能にしたディスク装置を提供することができる。
【００７０】
２００８年１２月１８日出願の特願２００８−３２２１５０の日本出願に含まれる明細書、図面および要約書の開示内容は、すべて本願に援用される。
【産業上の利用可能性】
【００７１】
以上のように、本発明に係るディスク装置は、スピンドルモータの回転軸および調芯リングに形成された突起部に対し、クランプ部の円環形状突起部によって形成された凹部空間が嵌合するので、クランプ部のセンタリング構成を薄型化できるという効果を有する。すなわち、本発明に係るディスク装置は、ディスククランプユニットの更なる薄型化を図ることができるディスク装置として有用である。
【符号の説明】
【００７２】
１００  ベースシャーシ
２００  ディスク
３００  スピンドルモータ
３０１  調芯リング
３０２  マグネット
４００  クランプ部
４０１  センタ部材
４０２  被吸引部材
５００  クランプガイド
５０１  クランプアーム
５０２  スライダ
５０３  ギヤ列
５０４  モータ  
６００  カーオーディオ装置
６０３  前面パネル
７００  ディスククランプユニット
【手続補正２】
【補正対象書類名】特許請求の範囲
【補正対象項目名】全文
【補正方法】変更
【補正の内容】
【特許請求の範囲】
【請求項１】
ディスクの定置および回転を行うスピンドルモータと、
前記スピンドルモータの回転軸に固定された調芯リングと、
前記ディスクを前記スピンドルモータ上に装着するクランプ部と、を備え、
前記調芯リングは、前記スピンドルモータの回転軸の周囲に形成された突起部と、前記突起部と空間を挟んで前記スピンドルモータの回転軸の周囲に設けられた磁気吸引手段と、を有し、
前記クランプ部は、前記突起部が嵌合する凹部空間が形成されたセンタ部材と、前記磁気吸引手段に吸引される被吸引部材と、を有し、前記突起部の前記凹部空間への嵌合と、前記磁気吸引手段から受ける吸引力とによって、前記ディスクを前記スピンドルモータ上に装着する、
ディスク装置。
【請求項２】
前記センタ部材は、凹溝形状部を有し、
前記被吸引部材は、前記凹溝部形状部に係合可能な係合突起部を有し、
前記クランプ部は、前記凹溝形状部と前記係合突起部との係合により、前記センタ部材と前記被吸引部材とが組み合わされた構成を有する、
請求項１記載のディスク装置。
【請求項３】
前記クランプ部を前記スピンドルモータに対して近接離反可能に保持するクランプガイド、を更に備え、
前記クランプ部は、前記スピンドルモータの回転に従って回転し、その回転中心において前記クランプガイドに接触する曲面凸部と、前記曲面凸部を囲んで設けられた凹溝と、を有する、
請求項１記載のディスク装置。
【手続補正３】
【補正対象書類名】図面
【補正対象項目名】全図
【補正方法】変更
【補正の内容】
【図１】
2010070924.tif 000021
【図２】
2010070924.tif 000022
【図３】
2010070924.tif 000023
【図４】
2010070924.tif 000024
【図５】
2010070924.tif 000025
【図６】
2010070924.tif 000026
【図７】
2010070924.tif 000027
【図８】
2010070924.tif 000028
【図９】
2010070924.tif 000029
【図１０】
2010070924.tif 000030
【図１１】
2010070924.tif 000031
【図１２】
2010070924.tif 000032
【図１３】
2010070924.tif 000033
【図１４】
2010070924.tif 000034
【図１５】
2010070924.tif 000035
【図１６】
2010070924.tif 000036
【図１７】
2010070924.tif 000037
【図１８】
2010070924.tif 000038
【国際調査報告】
2010070924.tif 000039
2010070924.tif 000040